(57)【特許請求の範囲】
【請求項１】
携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ装置において、
前記外部オーディオ装置の再生開始信号を入力したとき、前記外部オーディオ装置で再生している曲の位置を携帯型オーディオ装置で継続して検出し、
前記外部オーディオ装置との接続が切断したことを検出したとき、前記検出していた再生位置を記憶し、
次の再生開始時に前記記憶していた再生位置を読み込んで、該位置から再生を開始することを特徴とする携帯型オーディオ機器用再生継続方法。
【請求項２】
携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ装置において、
前記外部オーディオ装置の再生開始信号を入力したとき、前記外部オーディオ装置で再生している曲の位置を携帯型オーディオ装置で継続して検出し、
前記外部オーディオ装置の再生停止信号を検出したとき、前記検出していた再生位置を記憶し、
次の再生開始時に前記記憶していた再生位置を読み込んで、該位置から再生を開始することを特徴とする携帯型オーディオ機器用再生継続方法。 
【請求項３】
前記記憶している再生位置は、再生している曲を識別するデータであり、前記その後の再生開始時には先に再生していた曲から再生を開始することを特徴とする請求項１または２に記載の携帯型オーディオ機器用再生継続方法。
【請求項４】
前記記憶している再生位置は、再生している曲の再生開始時からカウントする時刻データであり、前記その後の再生開始時には先に再生していた曲の再生停止位置から再生を開始することを特徴とする請求項１〜３のいずれかに記載の携帯型オーディオ機器用再生継続方法。
【請求項５】
前記再生開始時からカウントする時刻データは、前記外部オーディオ装置の再生早送り或いは戻し再生に対応してカウントを行うことを特徴とする請求項４記載の携帯型オーディオ機器用再生継続方法。
【請求項６】
前記再生開始時からのカウントは、前記外部オーディオ装置での再生開始時からのカウントと同期していることを特徴とする請求項４記載の携帯型オーディオ機器用再生継続方法。
【請求項７】
前記携帯型オーディオ機器と外部オーディオ装置とは信号線または無線により接続し、オーディオデータをデジタル信号により携帯型オーディオ機器から外部オーディオ装置に送信することを特徴とする請求項１〜６のいずれかに記載の携帯型オーディオ機器用再生継続方法。
【請求項８】
オーディオデータを蓄積するオーディオデータ蓄積手段と、
利用者の再生指示信号を出力する再生指示手段と、
前記再生指示手段の指示により前記オーディオデータ蓄積手段で蓄積したオーディオデータを読み込んで再生し出力するオーディオ再生処理手段と、
外部オーディオ装置とオーディオ信号をデジタルで送受信可能に接続する外部機器接続手段と、
前記外部オーディオ装置が備えたオーディオ再生処理手段に対する再生指示信号を入力する外部機器再生指示信号入力手段と、
前記外部機器再生指示信号入力時に、携帯型オーディオ装置から送信するオーディオ信号の位置とは異なる外部オーディオ装置の再生位置を検出する再生位置検出手段と、
前記外部機器接続手段の接続が切断したことを検出する外部機器接続切断検出手段と、
前記外部機器接続切断検出手段で外部機器との接続が切断したことを検出したとき、前記再生位置検出手段で検出している再生位置を記憶する接続切断位置記憶手段とを備え、
前記再生指示手段で次の再生開始指示出力時に、前記接続切断位置記憶手段で記憶している再生位置から再生を行うことを特徴とする携帯型オーディオ機器用再生継続装置。
【請求項９】
オーディオデータを蓄積するオーディオデータ蓄積手段と、
利用者の再生指示信号を出力する再生指示手段と、
前記再生指示手段の指示により前記オーディオデータ蓄積手段で蓄積したオーディオデータを読み込んで再生し出力するオーディオ再生処理手段と、
外部オーディオ装置とオーディオ信号をデジタルで送受信可能に接続する外部機器接続手段と、
前記外部オーディオ装置が備えたオーディオ再生処理手段に対する再生指示信号を入力する外部機器再生指示信号入力手段と、
前記外部機器再生指示信号入力時に、携帯型オーディオ装置から送信するオーディオ信号の位置とは異なる外部オーディオ装置の再生位置を検出する再生位置検出手段と、
前記外部機器再生指示信号入力時に再生位置を検出する再生位置検出手段と、
前記外部機器再生指示信号入力部で前記外部オーディオ装置のオーディオ再生処理手段に対する再生停止信号を入力したとき、前記再生位置検出手段で検出している再生位置を記憶する再生停止位置記憶手段とを備え、
前記再生指示手段で次の再生開始指示出力時に、前記外部機器再生停止位置記憶手段で記憶している再生位置から再生を行うことを特徴とする携帯型オーディオ機器用再生継続装置。
【請求項１０】
前記記憶手段で記憶している再生位置は、再生している曲を識別するデータであり、次の再生開始時には先に再生していた曲から再生を開始することを特徴とする請求項８または９に記載の携帯型オーディオ機器用再生継続装置。
【請求項１１】
前記記憶手段で記憶している再生位置は、再生している曲の再生開始時からカウントする時刻データであり、次の再生開始時には先に再生していた曲の再生停止位置から再生を開始することを特徴とする請求項８〜１０のいずれかに記載の携帯型オーディオ機器用再生継続装置。
【請求項１２】
前記再生開始時からカウントする時刻データは、前記外部オーディオ装置の再生早送り或いは戻し再生に対応してカウントを行うことを特徴とする請求項１１記載の携帯型オーディオ機器用再生継続装置。
【請求項１３】
前記再生開始時からのカウントは、前記外部オーディオ装置での再生開始時からのカウントと同期していることを特徴とする請求項１１記載の携帯型オーディオ機器用再生継続方法。
【請求項１４】
前記携帯型オーディオ機器と外部オーディオ装置とは信号線により接続することを特徴とする請求項８または９に記載の携帯型オーディオ機器用再生継続装置。
【請求項１５】
前記携帯型オーディオ機器と外部オーディオ装置とは無線により接続することを特徴とする請求項８または９に記載の携帯型オーディオ機器用再生継続装置。
【請求項１６】
前記携帯型オーディオ機器のオーディオデータをデジタル信号により所定量ずつ一括して外部オーディオ装置に出力することを特徴とする請求項８または９に記載の携帯型オーディオ機器用再生継続装置。
【請求項１７】
前記携帯型オーディオ機器のオーディオデータをデジタル信号により外部オーディオ装置での再生処理に応じた量ずつ外部オーディオ装置に出力することを特徴とする請求項８に記載の携帯型オーディオ機器用再生継続装置。 
【請求項１８】
携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ機器用再生継続システムにおいて、
前記外部オーディオ装置の再生開始信号を入力したとき、前記外部オーディオ装置で再生している曲の位置を携帯型オーディオ装置で継続して検出し、前記外部オーディオ装置との接続が切断したことを検出したとき、前記検出していた再生位置を記憶し、次の再生開始時に前記記憶していた再生位置を読み込んで、該位置から再生を開始する携帯型オーディオ機器と、
前記携帯型オーディオ機器からオーディオ信号を受信し、該オーディオ信号を再生するとき再生している曲の位置を、前記携帯型オーディオ機器における前記曲の位置の検出と同期して検出する外部オーディオ装置とからなることを特徴とする携帯型オーディオ機器用再生継続システム。
【請求項１９】
携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ機器用再生継続システムにおいて、
前記外部オーディオ装置の再生開始信号を入力したとき、前記外部オーディオ装置で再生している曲の位置を携帯型オーディオ装置で継続して検出し、前記外部オーディオ装置の再生停止信号を検出したとき、前記検出していた曲の再生位置を記憶し、次の再生開始時に前記記憶していた再生位置を読み込んで、該位置から再生を開始する携帯型オーディオ機器と、
前記携帯型オーディオ機器からオーディオ信号を受信し、該オーディオ信号を再生するとき再生している曲の位置を、前記携帯型オーディオ機器における前記曲の位置の検出と同期して検出する外部オーディオ装置とからなることを特徴とする携帯型オーディオ機器用再生継続システム。         
【発明の詳細な説明】
【技術分野】
【０００１】
本発明は、携帯型オーディオ機器と例えば車載オーディオ装置を接続し、車載オーディオ装置で携帯型オーディオ機器の楽曲を再生しているとき、その接続を切った後でも携帯型オーディオ機器で継続してその楽曲を再生することができるようにした、携帯型オーディオ機器用再生継続方法及びその方法を実施する装置に関する。
【背景技術】
【０００２】
近年の各種メモリの小型化と大容量化、及びそれらのメモリが安価に供給され、更にハードディスクの小型化、大容量化がなされるようになった結果、これらのデータ記憶媒体に多数の楽曲を例えばｍｐ３等により記憶して蓄積し、これを持ち運び自由な場所で所望の音楽を選択して聴くことが広く行われるようになっている。
【０００３】
このような携帯型オーディオ機器は自由な場所に気軽に持ち運ぶことができる一方、通常は原則としてイヤホンやヘッドホンで聴く必要がある。その為この携帯型オーディオ機器を例えば車両に持ち込んだときには、図３に示すように車載オーディオ装置４１は音響特性に優れた車内スピーカシステム４３から音楽を出力することができる為、携帯型オーディオ機器４２の外部機器接続端子と車載オーディオ装置４１の外部機器接続部とをデータの送受信可能に接続し、車載オーディオ装置４１によって携帯型オーディオ機器４２の再生操作を行い、車載オーディオ装置４１によって携帯型オーディオ機器４２に蓄積したオーディオを再生することが行われる。このような携帯型オーディオ機器４２と車載オーディオ装置４１との接続は、有線の場合もあり、或いは無線の場合もある。
【０００４】
なお、同じ楽曲のデータが同じ順番で蓄積されている複数の音楽再生装置を用いるとき、１つの音楽再生装置での再生終了が指示されると、再生順番を示す楽曲再生情報を生成して移動体電話に送信し、移動体電話がこれを記憶しておき、移動体電話が他の音楽再生装置の周辺に移動したとき、移動体電話からその音楽再生装置に楽曲再生情報を送信し、その音楽再生装置によって先の再生部分以降の曲を継続して聴くことができるようにした技術は、下記特許文献１に開示されている。
【特許文献１】特開２００３−１３２６６２号公報
【発明の開示】
【発明が解決しようとする課題】
【０００５】
上記のように携帯型オーディオ機器と車載オーディオ装置とをデータの送受信可能に接続して、車載オーディオ装置によって携帯型オーディオ機器に蓄積した楽曲の再生を行うときには、現在の多くのものは例えば図４に示すように、音声信号はアナログで送受信し、楽曲信号や操作信号はデジタルで送受信している。即ち図４に示す例においては、携帯型オーディオ機器５１において、通常の使用態様としてメモリやハードディスク等のオーディオデータ蓄積部５３に記録されている楽曲を、再生指示部５４からの利用者の指示によりデータ読込部５５が所望の楽曲データを読み込み、これをオーディオ再生処理部５６が再生処理して、オーディオ再生出力部５７からヘッドホン５９に出力し、これを聴くことができるようにしている。
【０００６】
また、この携帯型オーディオ機器５１にはレジューム機能として再生停止位置記憶部５８を備え、通常の再生時にはデータ読込部５５で読み込んでいる楽曲を識別するデータ或いは楽曲の再生位置データを更新しながら記憶し、再生指示部５４から再生停止信号が出力されたとき、最後に記憶したデータを保持することができるようにしている。それにより次に再生を行うとき、特に別途の指示がない場合は、再生停止位置記憶部５８に記憶した前回の最終再生楽曲、或いは最終再生位置をデータ読込部５５で読み込んで、オーディオデータ蓄積部５３からその曲の最初から、或いは最終再生位置から継続して再生を行うことができるようにしている。
【０００７】
車載オーディオ装置５２においてはヘッドユニット等のオーディオ装置が用いられ、オーディオ再生処理部６３ではラジオ放送、ＣＤ等の各種メディアのうち再生指示部６２の指示により選択した任意のメディアについて所定の再生を行い、それをオーディオ出力部６４から車両に設けた車内スピーカシステム６５に出力するようにしている。車載オーディオ装置５２には外部機器接続部６１を備え、携帯型オーディオ機器５１の外部機器接続部６０と信号線５０によって接続可能とし、この信号線５０によって接続されたときには、車載オーディオ装置５２が外部機器接続部６１から入力した、携帯型オーディオ機器５１で再生処理されたアナログ音声信号を、再生指示部６２の選択によって出力可能となる。
【０００８】
また、車載オーディオ装置５２の再生指示部６１の操作信号をデジタルで携帯型オーディオ機器５１の外部機器接続部６０に出力し、この操作信号によってデータ読込部５５により前記再生指示部５４による指示と同様にしてオーディオデータ蓄積部５３から読み込み、所望の楽曲の音声信号をアナログで車載オーディオ装置５２に取り込み、オーディオ出力部６４から車内スピーカシステム６５に出力する。このとき、多数の楽曲が記録されているオーディオデータ蓄積部５３の中から、例えば特定のミュージシャンについて選択して再生可能にする為のプレイリストが作られるときには、楽曲信号として携帯型オーディオ機器５１から車載オーディオ装置５２にデジタル信号で送信し、車載オーディオ装置においてはそのプレイリストにしたがって選曲を行いながら出力することができるようにもしている。
【０００９】
このように、携帯型オーディオ機器５１と車載オーディオ装置５２とをデータ線５０で接続するとき、音声信号がアナログで送受信されているため、車載オーディオ装置５２で携帯型オーディオ機器５１の再生出力を行っているときには、車載オーディオ装置５２における再生指示部６２で再生の停止指示を行ったときには、携帯型オーディオ機器５１が外部機器接続部６０を介してその信号を取り込み、その時点を再生停止位置記憶部５８に記憶させておくことができる。それにより、その後この携帯型オーディオ機器５１を車載オーディオ装置５２から切り離して別の場所で聴こうとするとき、再生停止位置記憶部５８に記憶された曲、或いは停止位置から再生することができる。
【００１０】
それに対して、例えば図５に示すように、携帯型オーディオ機器７１の外部機器接続部８０と、車載オーディオ装置７２の外部機器接続部８５とを信号線８０で接続し、前記図４においては音声信号をアナログで送受信行っていた部分を、デジタルにより送受信する場合には、車載オーディオ装置７２にはオーディオデータ記憶部８６を設け、楽曲毎、或いは定時的に携帯型オーディオ機器７１からデータを読み込んでここに記憶しておき、これをデータ読込部８７によって読み込んでオーディオ再生処理部８１で、他のＣＤデータと同様に再生して出力する。その際にはこのオーディオデータ記憶部８６にデータが無くならないように、携帯型オーディオ機器７１側から継続的にオーディオデータの取り込みと記憶がなされることとなる。
【００１１】
車載オーディオ装置７２でこのように携帯型オーディオ機器７１に記録されているオーディオデータ蓄積部７３のオーディオデータを、デジタルにより取り込んで記憶し、これを読み込んで再生を行う場合には、車載オーディオ装置７２の再生指示部８１で再生の停止を行うとき、もしもその信号を携帯型オーディオ機器７１が取り込んで、前記図４に示す例のような携帯型オーディオ機器７１の再生停止位置記憶部７８に記憶すると、実際に車載オーディオ装置７２のオーディオ再生処理部８１で再生していたデータと、携帯型オーディオ機器７１のデータ読込部７５で読み込んで車載オーディオ装置７２に出力していた位置は異なることとなる。その為、後にこの携帯型オーディオ機器６５を別途再生するとき、再生停止位置記憶部７８に記憶された位置は先に車載オーディオ装置７２で再生していた位置より先読みした位置となるため、連続した再生が行われず、ときには１曲〜数曲飛ばされることも有り得る。
【００１２】
また前記図５の例において、携帯型オーディオ機器７１と車内オーディオ装置７２とを信号線８０で接続し、車内オーディオ装置７２の再生指示部８１の指示により、携帯型オーディオ機器７１のデータ読込部７５で読み込んだデジタルオーディオ信号を車載オーディオ装置７２に取り込んでこれを一時記憶し、それを再生処理して出力しているときにおいて、利用者が車外に出てこの携帯型オーディオ機器５１を利用するため信号線８０の接続を切り、その後この携帯型オーディオ機器７１で音楽を聴こうとしたときには、もしもこの携帯型オーディオ機器７１が信号線切断時にデータ読込部７５で読み込んでいたデータ位置を再生停止位置記憶部７８が記憶する機能を備えていたとしても、最初に再生される曲は先に車載オーディオ装置７２で聴いていた曲、或いはその続きを聴くことができないことは、前記の例と同様である。
【００１３】
このような作動をフローで示すと図６のように表される。即ち、車載オーディオ装置と携帯型オーディオ機器を接続すると（ステップＳ１０）、携帯型オーディオ機器は最後に再生していた曲の情報を車載オーディオ装置へ送信し（ステップＳ１１）、車載オーディオ装置では最後に再生していた曲の続きの再生が開始される（ステップＳ１２）。このようにして車載オーディオ装置で再生を行っているとき、利用者が車外にこの携帯型オーディオ機器を持ち出す等によって、携帯型オーディオ機器と車載オーディオ装置との接続を解除したときには（ステップＳ１３）、最後の再生位置が不明なため、先に再生した位置から引き続き再生することが不可能となる。
【００１４】
上記のような問題は、携帯型オーディオ機器と車載オーディオ装置との接続時以外にも、携帯型オーディオ機器のオーディオデータを利用して一般家庭のオーディオ装置で再生して聴く場合も同様にして生じる。また、携帯型オーディオ機器と他のオーディオ装置とを前記のように信号線によって接続する場合以外にも、例えばＦＭトランスミッターによって無線で接続する場合等も同様である。
【００１５】
特にＦＭトランスミッターのような無線で接続するときには、車載オーディオ装置を利用して聴いていた状態から、携帯型オーディオ機器を車外にそのまま持ち出し、後で再び携帯型オーディオ機器で音楽を聴こうとしたとき、携帯型オーディオ機器では車載オーディオ装置と接続が切れていることはわからないので、特別の機能を設けないとそのまま再生を継続することとなる。このことは、携帯型オーディオ機器と車載オーディオ装置の間をアナログで音声信号を送受信している場合も同様である。
【００１６】
また、前記のような単なる楽曲以外に、ＤＶＤのような映像を含むオーディオビジュアルデータを送受信して視聴する場合についても同様である。したがって、以降本発明において「オーディオ」とは、映像を含むオーディオビジュアルも含んだ意味で使用する。
【００１７】
したがって本発明は、携帯型オーディオ機器と他のオーディオ装置と信号の送受信を可能に接続して、他のオーディオ装置で携帯型オーディオ機器に蓄積しているオーディオデータを読み出して聴くとき、他のオーディオ装置での再生を停止し、或いは接続を切断した時でも、携帯型オーディオ機器において先に再生していた位置から確実に再生を継続することができるようにした携帯型オーディオ機器用再生継続方法及び装置を提供することを主たる目的とする。
【課題を解決するための手段】
【００１８】
本発明に係る携帯型オーディオ機器用再生継続方法は、携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ装置において、前記外部オーディオ装置の再生開始信号を入力したとき、前記外部オーディオ装置で再生している曲の位置を携帯型オーディオ装置で継続して検出し、前記外部オーディオ装置との接続が切断したことを検出したとき、前記検出していた再生位置を記憶し、次の再生開始時に前記記憶していた再生位置を読み込んで、該位置から再生を開始することを特徴とする。
【００１９】
本発明に係る他の携帯型オーディオ機器用再生継続方法は、携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ装置において、前記外部オーディオ装置の再生開始信号を入力したとき、前記外部オーディオ装置で再生している曲の位置を携帯型オーディオ装置で継続して検出し、
前記外部オーディオ装置の再生停止信号を検出したとき、前記検出していた再生位置を記憶し、次の再生開始時に前記記憶していた再生位置を読み込んで、該位置から再生を開始することを特徴とする。
【００２０】
また、本発明に係る他の携帯型オーディオ機器用再生継続方法は、前記携帯型オーディオ機器用再生継続方法において、前記記憶している再生位置が、再生している曲を識別するデータであり、前記その後の再生開始時には先に再生していた曲から再生を開始することを特徴とする。
【００２１】
また、本発明に係る他の携帯型オーディオ機器用再生継続方法は、前記携帯型オーディオ機器用再生継続方法において、前記記憶している再生位置が、再生している曲の再生開始時からカウントする時刻データであり、前記その後の再生開始時には先に再生していた曲の再生停止位置から再生を開始することを特徴とする。
【００２２】
また、本発明に係る他の携帯型オーディオ機器用再生継続方法は、前記携帯型オーディオ機器用再生継続方法において、前記再生開始時からカウントする時刻データは、前記外部オーディオ装置の再生早送り或いは戻し再生に対応してカウントを行うことを特徴とする。
【００２３】
また、本発明に係る他の携帯型オーディオ機器用再生継続方法は、前記携帯型オーディオ機器用再生継続方法において、前記再生開始時からのカウントが、前記外部オーディオ装置での再生開始時からのカウントと同期していることを特徴とする。
【００２４】
また、本発明に係る他の携帯型オーディオ機器用再生継続方法は、前記携帯型オーディオ機器用再生継続方法において、前記携帯型オーディオ機器と外部オーディオ装置とは信号線または無線により接続し、オーディオデータをデジタル信号により携帯型オーディオ機器から外部オーディオ装置に送信することを特徴とする。
【００２５】
また、本発明に係る携帯型オーディオ機器用再生継続装置は、オーディオデータを蓄積するオーディオデータ蓄積手段と、利用者の再生指示信号を出力する再生指示手段と、前記再生指示手段の指示により前記オーディオデータ蓄積手段で蓄積したオーディオデータを読み込んで再生し出力するオーディオ再生処理手段と、外部オーディオ装置とオーディオ信号をデジタルで送受信可能に接続する外部機器接続手段と、前記外部オーディオ装置が備えたオーディオ再生処理手段に対する再生指示信号を入力する外部機器再生指示信号入力手段と、前記外部機器再生指示信号入力時に、携帯型オーディオ装置から送信するオーディオ信号の位置とは異なる外部オーディオ装置の再生位置を検出する再生位置検出手段と、前記外部機器接続手段の接続が切断したことを検出する外部機器接続切断検出手段と、前記外部機器接続切断検出手段で外部機器との接続が切断したことを検出したとき、前記再生位置検出手段で検出している再生位置を記憶する接続切断位置記憶手段とを備え、前記再生指示手段で次の再生開始指示出力時に、前記接続切断位置記憶手段で記憶している再生位置から再生を行うことを特徴とする。
【００２６】
また、本発明に係る他の携帯型オーディオ機器用再生継続装置は、オーディオデータを蓄積するオーディオデータ蓄積手段と、利用者の再生指示信号を出力する再生指示手段と、前記再生指示手段の指示により前記オーディオデータ蓄積手段で蓄積したオーディオデータを読み込んで再生し出力するオーディオ再生処理手段と、外部オーディオ装置とオーディオ信号をデジタルで送受信可能に接続する外部機器接続手段と、前記外部オーディオ装置が備えたオーディオ再生処理手段に対する再生指示信号を入力する外部機器再生指示信号入力手段と、前記外部機器再生指示信号入力時に、携帯型オーディオ装置から送信するオーディオ信号の位置とは異なる外部オーディオ装置の再生位置を検出する再生位置検出手段と、前記外部機器再生指示信号入力時に再生位置を検出する再生位置検出手段と、前記外部機器再生指示信号入力部で前記外部オーディオ装置のオーディオ再生処理手段に対する再生停止信号を入力したとき、前記再生位置検出手段で検出している再生位置を記憶する再生停止位置記憶手段とを備え、前記再生指示手段で次の再生開始指示出力時に、前記外部機器再生停止位置記憶手段で記憶している再生位置から再生を行うことを特徴とする。
【００２７】
また、本発明に係る他の携帯型オーディオ機器用再生継続装置は、前記携帯型オーディオ機器用再生継続装置において、前記記憶手段で記憶している再生位置が、再生している曲を識別するデータであり、次の再生開始時には先に再生していた曲から再生を開始することを特徴とする。
【００２８】
また、本発明に係る他の携帯型オーディオ機器用再生継続装置は、前記携帯型オーディオ機器用再生継続装置において、前記記憶手段で記憶している再生位置が、再生している曲の再生開始時からカウントする時刻データであり、次の再生開始時には先に再生していた曲の再生停止位置から再生を開始することを特徴とする。
【００２９】
また、本発明に係る他の携帯型オーディオ機器用再生継続装置は、前記携帯型オーディオ機器用再生継続装置において、前記再生開始時からカウントする時刻データが、前記外部オーディオ装置の再生早送り或いは戻し再生に対応してカウントを行うことを特徴とする。
【００３０】
また、本発明に係る他の携帯型オーディオ機器用再生継続装置は、前記携帯型オーディオ機器用再生継続装置において、前記再生開始時からのカウントが、前記外部オーディオ装置での再生開始時からのカウントと同期していることを特徴とする。
【００３１】
また、本発明に係る他の携帯型オーディオ機器用再生継続装置は、前記携帯型オーディオ機器用再生継続装置において、前記携帯型オーディオ機器と外部オーディオ装置とは信号線により接続することを特徴とする。
【００３２】
また、本発明に係る他の携帯型オーディオ機器用再生継続装置は、前記携帯型オーディオ機器用再生継続装置において、前記携帯型オーディオ機器と外部オーディオ装置とは無線により接続することを特徴とする。
【００３３】
また、本発明に係る他の携帯型オーディオ機器用再生継続装置は、前記携帯型オーディオ機器用再生継続装置において、前記携帯型オーディオ機器のオーディオデータをデジタル信号により所定量ずつ一括して外部オーディオ装置に出力することを特徴とする。
【００３５】
また、本発明に係る他の携帯型オーディオ機器用再生継続装置は、前記携帯型オーディオ機器用再生継続装置において、前記携帯型オーディオ機器のオーディオデータをデジタル信号により外部オーディオ装置での再生処理に応じた量ずつ外部オーディオ装置に出力することを特徴とする。  
【００３６】
また、本発明に係る携帯型オーディオ機器用再生継続システムは、携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ機器用再生継続システムにおいて、前記外部オーディオ装置の再生開始信号を入力したとき、前記外部オーディオ装置で再生している曲の位置を携帯型オーディオ装置で継続して検出し、前記外部オーディオ装置との接続が切断したことを検出したとき、前記検出していた再生位置を記憶し、次の再生開始時に前記記憶していた再生位置を読み込んで、該位置から再生を開始する携帯型オーディオ機器と、前記携帯型オーディオ機器からオーディオ信号を受信し、該オーディオ信号を再生するとき再生している曲の位置を、前記携帯型オーディオ機器における前記曲の位置の検出と同期して検出する外部オーディオ装置とからなることを特徴とする。
【００３７】
また、本発明に係る他の携帯型オーディオ機器用再生継続システムは、携帯型オーディオ装置と外部オーディオ装置とを、携帯型オーディオ装置のオーディオ信号をデジタルで送信可能に接続し、携帯型オーディオ装置のオーディオ信号送信位置と外部オーディオ装置の再生位置とが異なる携帯型オーディオ機器用再生継続システムにおいて、前記外部オーディオ装置の再生開始信号を入力したとき、前記外部オーディオ装置で再生している曲の位置を携帯型オーディオ装置で継続して検出し、前記外部オーディオ装置の再生停止信号を検出したとき、前記検出していた曲の再生位置を記憶し、次の再生開始時に前記記憶していた再生位置を読み込んで、該位置から再生を開始する携帯型オーディオ機器と、前記携帯型オーディオ機器からオーディオ信号を受信し、該オーディオ信号を再生するとき再生している曲の位置を、前記携帯型オーディオ機器における前記曲の位置の検出と同期して検出する外部オーディオ装置とからなることを特徴とする。
【発明の効果】
【００３８】
本発明は上記のように構成したので、携帯型オーディオ機器と他のオーディオ装置と信号の送受信を可能に接続して、他のオーディオ装置で携帯型オーディオ機器に蓄積しているオーディオデータを読み出して聴くとき、他のオーディオ装置での再生を停止し、或いは接続を切断した時でも、携帯型オーディオ機器において先に再生していた位置から確実に再生を継続することができる。
【発明を実施するための最良の形態】
【００３９】
本発明は、携帯型オーディオ機器と他のオーディオ装置と信号の送受信を可能に接続して、他のオーディオ装置で携帯型オーディオ機器に蓄積しているオーディオデータを読み出して聴くとき、他のオーディオ装置での再生を停止し、或いは接続を切断した時でも、携帯型オーディオ機器において先に再生していた位置から確実に再生を継続することができるようにするという課題を、オーディオ信号を送信可能に接続した外部オーディオ装置の再生開始信号を入力したとき、再生している曲の位置を継続して検出し、前記外部オーディオ装置との接続が切断したことを検出したとき、前記検出していた再生位置を記憶し、また、前記外部オーディオ装置の再生停止信号を検出したとき、前記検出していた再生位置を記憶し、次の再生開始時に前記記憶していた再生位置を読み込んで、該位置から再生を開始することによって解決した。
【実施例１】
【００４０】
本発明の実施例を図面に沿って説明する。図１は本発明による再生継続手法を備えた携帯型オーディオ機器を、車載オーディオ装置に対して接続し、各種の態様で実施することができるようにした例の機能ブロック図である。なお、同図において各機能を行う機能部は、各機能を行う手段ということができる。図１に示す携帯型オーディオ機器１には、前記図５に示した従来のものと同様に、携帯型オーディオ機器１の外部機器接続部１７と車載オーディオ装置２の外部機器接続部２１とを、有線または無線のデジタル通信系統２０により音楽信号及び楽曲信号、操作信号等を全てデジタルで送受信する例を示している。
【００４１】
この携帯型オーディオ機器１には図５の従来例と同様に、ｍｐ３等のデジタルで記録したオーディオデータを多数蓄積している、メモリやハードディスク等のオーディオデータ蓄積部３を備え、利用者が指示する再生指示部４からの信号によってデータ読込部５が、蓄積した任意のデータを読み込み、オーディオ再生処理部６でこれを再生し、オーディオ出力部７からヘッドホン１８等に出力する。
【００４２】
また、後述するように、車載オーディオ装置２の再生指示部２５から再生指示があったときには、その指示信号を外部機器接続部１７から、外部機器再生指示信号入力部１４に取り込み、データ読込部５によってオーディオデータ蓄積部３から所望の楽曲のデータの読み込みを行い、オーディオデータ及びそのオーディオデータに関連して記録されているアーティスト、ジャンル、曲名、演奏時間等の各種の曲情報も読み込んでいる。また、特定のアーティストのみを検索してリストを作成するようなプレイリスト作成要求があったときには、プレイリスト作成出力部１５がオーディオデータ蓄積部３のデータを検索して作成し、出力可能としている。
【００４３】
図１の携帯型オーディオ機器１においては外部機器接続・切断検出部１６を備え、外部機器接続部１７と車載オーディオ装置２の外部接続機器接続部２１とがデジタル通信系統２０で接続して信号の送受信が可能の状態になったこと、及びその接続が切れて送受信が不能になったことを検出する。この検出は、例えばパソコン及び周辺機器のＵＳＢ接続のように、接続された機器との通信によって行うことができる。
【００４４】
また外部機器接続・切断検出部１６においては、携帯型オーディオ機器１と車載オーディオ装置２とが例えばＦＭトランスミッターのような無線により接続されているときには、常に相手方との通信を行っている周波数の電界強度を検出し、電界強度が低くなったときには携帯型オーディオ機器１を車載オーディオ装置２から離れる方向に移動し、両者の接続を切ったものと判別することができる。無線による接続は前記のようなＦＭトランスミッターの他、無線ＬＡＮ、ブルートゥース等、種々の無線接続形式が利用され得るが、それらの接続の特性に応じて、種々の態様で外部機器の接続が切断したことを検出することができる。
【００４５】
外部機器再生指示信号入力部１４では、前記のように車載オーディオ装置２から特定の曲の再生指示があったとき、データ読込部５によってその曲のデータの読み込みを行わせ、その後読み込んだ各種データを車載オーディオ装置２へ出力するとともに、プレイリストに従った再生指示があったときには、作成されたプレイリストをプレイリスト作成・出力部１５から読み取り、それに従った曲の読み込みを行う。
【００４６】
再生位置検出部９における再生停止カウンタ１８では、外部機器再生指示信号入力部１４に車載オーディオ装置で実際の再生開始の信号が入力したときには、その信号によってカウンタの作動を開始し、再生停止信号入力時にはそのカウントを停止し、早送り時にはその速度に対応してカウントし、曲の戻し再生時にはそれに応じてカウントを減算する。なお、この再生位置検出部９では前記のような作動の他、現在再生している曲を識別するデータを記憶することにより、現在どの曲を再生しているかを検出することができ、再生位置カウンタ１８の作動と組み合わせることによって現在どの曲のどの位置を再生しているかを直ちに検出できるようになる。この際再生位置カウンタ１８は、後述する車載オーディオ装置２の再生位置検出部２８と同期して曲の検出及び再生位置のカウントを行うこととなる。
【００４７】
再生停止位置記憶部１０では、予めレジューム機能設定部８で設定した、曲単位のレジュームを行うか、曲の途中でも再生時刻によってレジュームを行うかの選択設定がなされ、例えば曲途中でも再生時刻によってレジュームを行う旨の設定がなされたときには、携帯型オーディオ機器１の再生指示部４からオーディオ再生処理部６に再生停止信号を出力したとき、或いは車載オーディオ装置２の再生指示部２５から再生停止指示信号が出力されたときにその信号を入力し、再生位置検出部９の現在の再生位置を読み込んで記憶する。この際は少なくとも曲の識別データが、更にはその曲の再生位置が記録される。
【００４８】
接続切断位置記憶部１１においても前記再生停止位置記憶部１０と同様に、予めレジューム機能設定部８で設定した、曲単位のレジュームを行うか、曲の途中でも再生時刻によってレジュームを行うかの選択設定がなされ、例えば曲単位でレジュームを行う旨の設定がなされたときには、携帯型オーディオ機器１と車載オーディオ装置２との信号線２０の接続が切れたことを外部機器接続・切断検出部１６で検出したときにその信号を入力し、再生位置検出部９の現在の再生位置を読み込んで記憶する。このように、再生停止位置記憶部１０と接続切断位置記憶部１１とのレジューム機能を異なるように設定可能としておくことにより、使用者の希望によって種々のレジューム再生が可能となる。また、レジューム機能設定部８でこれらの記憶部に対して全て曲単位で記憶する設定がなされたときには、レジューム機能設定部８は再生位置検出部９に対して、再生時刻カウントを行わず、単に曲単位のデータのみ保持するように設定することもできる。
【００４９】
上記のように再生停止位置記憶部１０に携帯型オーディオ機器での再生、或いは車載オーディオ装置２での再生が停止した位置が記憶され、或いは接続切断位置記憶部１１に車載オーディオ装置２との接続が切断した位置が記憶されているときには、その後この携帯型オーディオ機器１の再生を開始するとき、再生指示部４からオーディオ再生処理部６に特に指示がないときには、これらの記憶データを読み出し、データ読込部５によりオーディオデータ蓄積部３にアクセスして所望のデータを読み出し、更に所定の再生位置から再生を行うことができる。
【００５０】
一方、車載オーディオ装置２においては、原則として前記図５に示す従来例と同様の機能構成をなすが、特に再生指示部２５に入力する利用者の再生開始、停止、早送り、戻し再生等の種々の再生操作信号を、外部機器接続部２１を介して携帯型オーディオ機器１側に出力し、前記のような携帯型オーディオ機器１での再生位置検出部９、再生停止位置記憶部１０の作動信号とする。
【００５１】
図１に示す車載オーディオ装置２においては、外部機器接続部２１を介して携帯型オーディオ機器１のオーディオデータ曲情報出力部１２のデータを、オーディオデータ曲情報入力部２２で入力し、これをオーディオデータ曲情報記憶部２３に記憶している。このデータ送受信はデジタルで行われ、再生順にストリーミングで送受信を行うほか、特定の時間単位或いは曲単位で送受信が行われる。このとき、予めプレイリストにしたがって再生することが決まっているときには、数曲分を一括して送受信することもできる。
【００５２】
このようにしてオーディオデータ曲情報記憶部２３に記憶されているデータは、データ読込部２４が再生指示部２５の指示により読み込みを行い、オーディオ再生処理部２６で再生処理し、オーディオ出力部３０から車内スピーカーシステム３１に出力する。この車載オーディオ装置２においてレジューム機能を行うため、再生位置検出部２８と再生停止位置記憶部２９とを備え、車載オーディオ装置２による携帯型オーディオ機器１のオーディオデータの再生中に再生を停止し、次に再び再生を行うときには、先に再生していた曲の初めから、或いは再生が停止した位置から再生を行うことができるようにしている。
【００５３】
このときの作動は前記携帯型オーディオ機器１における、再生指示部４での指示による、再生位置検出部９及び再生停止位置記憶部１０の作動と同様であるので、ここでの説明は省略する。プレイリスト記憶部２７においては、再生指示部２５から利用者が例えば特定のアーティストの曲のみを選択して再生することを希望するとき、その旨の入力を行うことにより携帯型オーディオ機器１におけるプレイリスト作成・出力部１５がプレイリストを作成して出力を行い、これをこのプレイリスト記憶部２７に記憶する。このプレイリストをオーディオ再生処理部２６が順に読み込むことにより、自動的に所望のアーティストの曲のみを順に再生出力することができる。
【００５４】
上記のような機能ブロックからなる本発明においては、例えば図２に示す作動フローにより順に作動させることができる。即ち、図２に示す例においては始めに前記図６の従来例の作動と同様の作動を行うものとして示しており、最初に携帯型オーディオ機器を車載オーディオ装置に接続する（ステップＳ１）。その後車載オーディオ装置で特定の再生指示を行わないときには、携帯型オーディオ機器で記憶していた最後に再生した曲の情報を車載オーディオ装置へ送信し（ステップＳ２）、それにより最後に再生していた曲の続きを車載オーディオ装置で再生開始することができる（ステップＳ３）。
【００５５】
このような再生が開始されるとその後、前記のような再生開始時、また次曲の再生開始時、更には利用者の指示による曲のスキップ時、早送り動作時、戻し再生動作時等に、携帯型オーディオ機器へ現在の再生位置を送信し、双方で同期カウントを開始する（ステップＳ４）。このような作動を継続して行っているときにおいて、携帯型オーディオ機器の接続解除を検出したか否かを判別する（ステップＳ５）。ここで接続の解除を検出しないときには、車載オーディオ装置で再生を停止したか否かを判別する（ステップＳ６）。
【００５６】
ステップＳ６で車載オーディオ装置で再生を停止したと判別したとき、及び前記ステップＳ５で携帯型オーディオ機器の接続の解除を検出したときには、携帯型オーディオ機器で曲情報と最終再生カウント位置を記憶する（ステップＳ７）。この作動は、前記図１において、携帯型オーディオ機器１の接続解除を検出したときには接続切断位置記憶部１１で、また車載オーディオ装置で再生を停止したときには再生停止位置記憶部１０で別個に記憶している。
【００５７】
このようなレジューム機能を行った後、携帯型オーディオ機器で再生指示入力が有ったか否かを判別し（ステップＳ８）、再生指示入力が有るまで待機するとともに、再生指示入力があったときには、前記のように記憶していた最終再生曲、または最終再生位置からの再生を開始する（ステップＳ９）。このようにして本発明においては前記図６の従来例と異なり、最後の再生位置が分かっているため、その続きから再生することが可能となる。
【図面の簡単な説明】
【００５８】
【図１】本発明の実施例の機能ブロック図である。
【図２】同実施例の作動フロー図である。
【図３】携帯型オーディオ機器と車載オーディオ装置とを通信線で接続する態様を示す図である。
【図４】従来のシステムを示すブロック図である。
【図５】従来の他のシステムを示すブロック図である。
【図６】従来のシステムにおける作動フローと問題点を示す図である。
【符号の説明】
【００５９】
１  携帯型オーディオ機器    
２  車載オーディオ装置
３  オーディオデータ蓄積部
４  再生指示部
５  データ読込部
６  オーディオ再生処理部
７  オーディオ出力部
８  レジューム機能設定部
９  再生位置検出部
１０  再生停止位置記憶部
１１  接続切断位置記憶部
１２  オーディオデータ曲情報出力部
１４  外部機器再生指示信号入力部
１５  プレイリスト作成・出力部
１６  外部機器接続・切断検出部
１７  外部機器接続部
１８  再生位置カウンタ
２０  デジタル通信系統
２１  外部機器接続部
２２  オーディオデータ曲情報入力部
２３  オーディオデータ曲情報記憶部
２４  データ読込部
２５  再生指示部
２６  オーディオ再生処理部
２７  プレイリスト記憶部
２８  再生位置検出部
２９  再生停止位置記憶部
３０  オーディオ出力部
３１  車内スピーカシステム
【図１】
0004570163.tif 000002
【図２】
0004570163.tif 000003
【図３】
0004570163.tif 000004
【図４】
0004570163.tif 000005
【図５】
0004570163.tif 000006
【図６】
0004570163.tif 000007